(57)【要約】【課題】原稿を検出するセンサーとして、上流センサーと下流センサーの双方を設けることが好ましいが、この場合コストアップを招く。【解決手段】媒体搬送装置は、搬送ローラー対が設けられた第１媒体搬送経路と、搬送ローラー対から媒体搬送方向下流に送られた媒体を、第１媒体搬送経路における搬送ローラー対の上流位置に送り込む第２媒体搬送経路と、第１媒体搬送経路において媒体の通過を検出する媒体検出手段とを備えている。媒体検出手段は、媒体と当接する第１当接部を備えた第１回転部と、媒体と当接する第２当接部を備えている。第１回転部は、第２回転部に当接可能であり、第２回転部の回転に応じて、第１当接部が第１媒体搬送経路の第１位置で第１媒体搬送経路に突出する第１検出姿勢と、第１検出姿勢から第２回転方向に回転し、第１当接部が第１位置よりも媒体搬送方向下流の第２位置で第１媒体搬送経路に突出する第２検出姿勢と、を切り換える。【選択図】図５
2020152552.tif 000002
【特許請求の範囲】
【請求項１】
回転駆動される第１ローラー、及び前記第１ローラーとの間で媒体をニップする第２ローラーを備えて構成される搬送ローラー対と、
前記搬送ローラー対が設けられた第１媒体搬送経路と、
前記搬送ローラー対から媒体搬送方向下流に送られた媒体を、前記第１媒体搬送経路における前記搬送ローラー対の上流位置に送り込む第２媒体搬送経路と、
前記第１媒体搬送経路において媒体の通過を検出する媒体検出手段と、を備え、
前記媒体検出手段は、前記第１媒体搬送経路において媒体が当接可能な第１当接部を有するとともに、前記第１当接部への媒体の当接及び前記第１当接部からの媒体の離間に伴って回転する第１回転部と、
前記第２媒体搬送経路において媒体が当接可能な第２当接部を有するとともに、前記第２当接部への媒体の当接及び前記第２当接部からの媒体の離間に伴って回転する第２回転部と、
前記第１回転部に設けられた被検出部を検出する検出部と、を備え、
前記第１回転部は、前記第２回転部に当接可能であり、前記第２回転部の回転に応じて、
前記第１当接部が前記第１媒体搬送経路の第１位置で前記第１媒体搬送経路に突出する第１検出姿勢と、
前記第１当接部が前記第１位置よりも媒体搬送方向下流の第２位置で前記第１媒体搬送経路に突出する第２検出姿勢と、を回転することによって切り換える、
ことを特徴とする媒体搬送装置。
【請求項２】
請求項１に記載の媒体搬送装置において、前記第１位置は、前記搬送ローラー対における媒体ニップ位置より媒体搬送方向上流位置であり、
前記第２位置は、前記媒体ニップ位置より媒体搬送方向下流位置である、
ことを特徴とする媒体搬送装置。
【請求項３】
請求項１または請求項２に記載の媒体搬送装置において、前記第１回転部は、前記第２検出姿勢から前記第１検出姿勢に切り換わる際の回転方向である第１回転方向及びその反対の第２回転方向に回転可能であるとともに、前記第１回転方向に回転する力が付与され、
前記第２回転部は、前記第２媒体搬送経路に対して前記第２当接部が退避した状態から突出する際の回転方向である第３回転方向及び前記第２媒体搬送経路に対して前記第２当接部が突出した状態から退避する際の回転方向である第４回転方向に回転可能であるとともに、前記第３回転方向に回転する力が付与され、
前記第２回転部は、前記第２当接部が前記第２媒体搬送経路に突出し、前記第１当接部に対し媒体が当接していない状態で前記第１回転部を前記第２検出姿勢に維持するとともに、前記第１回転部の前記第２回転方向への回転を許容する第１状態と、
前記第１状態から前記第４回転方向に回転して前記第２当接部が前記第２媒体搬送経路から退避し、前記第１当接部に対し媒体が当接していない状態で前記第１回転部が前記第１検出姿勢を取ることを許容するとともに、前記第１回転部の前記第２回転方向への回転を許容する第２状態と、を取り得る、
ことを特徴とする媒体搬送装置。
【請求項４】
請求項３に記載の媒体搬送装置において、前記検出部は光学センサーで構成され、
前記被検出部は、前記第１回転部の回転に伴って、
前記光学センサーの光軸を遮る遮光状態と、
前記光軸から第１方向に外れる第１開放状態と、
前記光軸から第２方向に外れる第２開放状態と、
を切り換え、
前記第２回転部が前記第１状態にあるとともに前記第１回転部が前記第２検出姿勢にある状態で、前記被検出部が前記遮光状態にあり、
前記第２検出姿勢にある前記第１回転部が前記第２回転方向に回転することで、前記被検出部が前記遮光状態から前記第１開放状態に切り換わり、
前記第２回転部が前記第２状態にあるとともに前記第１回転部が前記第１検出姿勢にある状態で、前記被検出部が前記第２開放状態にあり、
前記第１検出姿勢にある前記第１回転部が前記第２回転方向に回転することで、前記被検出部が前記第２開放状態から前記遮光状態に切り換わる、
ことを特徴とする媒体搬送装置。
【請求項５】
請求項４に記載の媒体搬送装置において、前記光学センサーの検出信号を受信する制御部を備え、
媒体の給送待機状態において、前記第２回転部が前記第１状態にあるとともに前記第１回転部が前記第２検出姿勢にあり、前記被検出部が前記遮光状態にあり、
次いで媒体の給送が開始されると、媒体の先端が前記第１当接部に当接して前記第１回転部が前記第２検出姿勢から、前記第１当接部が前記第１媒体搬送経路から退避する第３検出姿勢に切り換わり、これに伴い前記被検出部が前記遮光状態から前記第１開放状態に切り換わり、
次いで媒体の後端が前記第１当接部から離間すると、前記第１回転部が前記第３検出姿勢から前記第２検出姿勢に戻り、これに伴い前記被検出部が前記第１開放状態から前記遮光状態に切り換わり、
次いで前記第２媒体搬送経路に入り込んだ媒体の先端が前記第２当接部に当接して前記第２回転部が前記第１状態から前記第２状態に切り換わると、前記第１回転部が前記第２検出姿勢から前記第１検出姿勢に切り換わり、これに伴い前記被検出部が前記遮光状態から前記第２開放状態に切り換わり、
次いで前記第２媒体搬送経路から前記第１媒体搬送経路に入り込んだ媒体の先端が前記第１当接部に当接して前記第１回転部が前記第１検出姿勢から前記第２回転方向に回転すると、これに伴い前記被検出部が前記第２開放状態から前記遮光状態に切り換わる、
ことを特徴とする媒体搬送装置。
【請求項６】
請求項３から請求項５のいずれか一項に記載の媒体搬送装置において、前記第１回転部に対し前記第１回転方向にばね力を付与する第１ばねと、
前記第２回転部に対し前記第３回転方向にばね力を付与する第２ばねと、を備える、
ことを特徴とする媒体搬送装置。
【請求項７】
媒体を読み取る読み取り手段と、
請求項１から請求項６のいずれか一項に記載の前記媒体搬送装置と、
を備えた画像読取装置。
【請求項８】
請求項７に記載の画像読取装置において、前記読み取り手段による原稿読み取り領域は、前記第１当接部の前記第２位置に対し、媒体搬送方向下流に位置する、
ことを特徴とする画像読み取り装置。
【発明の詳細な説明】
【技術分野】
【０００１】
本発明は、媒体を搬送する媒体搬送装置、及びこれを備えた画像読取装置に関する。
【背景技術】
【０００２】
スキャナーやファクシミリ等の画像読取装置においては、媒体を搬送する媒体搬送経路に、媒体の通過を検出するセンサーが設けられる。  
特許文献１記載の自動原稿搬送装置では、読取部の上流に、原稿を送る読取入口ローラーを備えており、読取入口ローラーの上流には読取入口センサーが設けられ、また読取入口ローラーの下流にはレジストセンサーが設けられている。そしてそれぞれのセンサーで原稿先端を検出し、所定の制御を行う。  
以下では、読取入口ローラーを「原稿送りローラー」と称し、読取入口ローラーを「上流センサー」と称し、レジストセンサーを「下流センサー」と称する。
【先行技術文献】
【特許文献】
【０００３】
【特許文献１】特開２００３−００２５４６号公報
【発明の概要】
【発明が解決しようとする課題】
【０００４】
上流センサーを設ける利点として、原稿送りローラーによって原稿の斜行を矯正する場合、原稿の撓み量をより正確に管理できることが挙げられる。特に、原稿の第１面を読み取った後、その反対の第２面の読み取りを行う為に反転経路を経由させて原稿を再び原稿送りローラーに送る構成の場合、原稿を反転させる為の経路長が長くなる為、原稿の先端位置が管理し難く、この様な場合に上流センサーを設けると、斜行矯正時の原稿撓み量をより適切に管理できる。  
また、下流センサーを設ける利点として、読取部により近い位置で原稿先端位置を把握することで、読取開始位置をより正確に管理できることが挙げられる。  
この様に原稿を検出するセンサーとして、上流センサーと下流センサーの双方を設けることが好ましいが、この場合コストアップを招くこととなる。
【課題を解決するための手段】
【０００５】
上記課題を解決する本発明の媒体搬送装置は、回転駆動される第１ローラー、及び前記第１ローラーとの間で媒体をニップする第２ローラーを備えて構成される搬送ローラー対と、前記搬送ローラー対が設けられた第１媒体搬送経路と、前記搬送ローラー対から媒体搬送方向下流に送られた媒体を、前記第１媒体搬送経路における前記搬送ローラー対の上流位置に送り込む第２媒体搬送経路と、前記第１媒体搬送経路において媒体の通過を検出する媒体検出手段と、を備え、前記媒体検出手段は、前記第１媒体搬送経路において媒体が当接可能な第１当接部を有するとともに、前記第１当接部への媒体の当接及び前記第１当接部からの媒体の離間に伴って回転する第１回転部と、前記第２媒体搬送経路において媒体が当接可能な第２当接部を有するとともに、前記第２当接部への媒体の当接及び前記第２当接部からの媒体の離間に伴って回転する第２回転部と、前記第１回転部に設けられた被検出部を検出する検出部と、を備え、前記第１回転部は、前記第２回転部に当接可能であり、前記第２回転部の回転に応じて、前記第１当接部が前記第１媒体搬送経路の第１位置で前記第１媒体搬送経路に突出する第１検出姿勢と、前記第１当接部が前記第１位置よりも媒体搬送方向下流の第２位置で前記第１媒体搬送経路に突出する第２検出姿勢と、を回転することによって切り換えることを特徴とする。
【図面の簡単な説明】
【０００６】
【図１】プリンターの外観斜視図。
【図２】自動原稿搬送装置における原稿搬送経路を示す側断面図。
【図３】プリンターの制御系統を示すブロック図。
【図４】原稿検出手段の斜視図。
【図５】原稿検出手段の状態を示す図。
【図６】原稿検出手段の状態を示す図。
【図７】原稿検出手段の状態を示す図。
【図８】原稿検出手段の状態を示す図。
【図９】原稿検出手段の状態を示す図。
【図１０】原稿検出手段の状態を示す図。
【図１１】原稿検出手段の状態を示す図。
【図１２】原稿検出手段の状態を示す図。
【図１３】原稿読み取り時の制御を示すフローチャート。
【図１４】図１３に示すフローチャートの続き。
【発明を実施するための形態】
【０００７】
以下、本発明について概略的に説明する。  
第１の態様に係る媒体搬送装置は、回転駆動される第１ローラー、及び前記第１ローラーとの間で媒体をニップする第２ローラーを備えて構成される搬送ローラー対と、前記搬送ローラー対が設けられた第１媒体搬送経路と、前記搬送ローラー対から媒体搬送方向下流に送られた媒体を、前記第１媒体搬送経路における前記搬送ローラー対の上流位置に送り込む第２媒体搬送経路と、前記第１媒体搬送経路において媒体の通過を検出する媒体検出手段と、を備え、前記媒体検出手段は、前記第１媒体搬送経路において媒体が当接可能な第１当接部を有するとともに、前記第１当接部への媒体の当接及び前記第１当接部からの媒体の離間に伴って回転する第１回転部と、前記第２媒体搬送経路において媒体が当接可能な第２当接部を有するとともに、前記第２当接部への媒体の当接及び前記第２当接部からの媒体の離間に伴って回転する第２回転部と、前記第１回転部に設けられた被検出部を検出する検出部と、を備え、前記第１回転部は、前記第２回転部に当接可能であり、前記第２回転部の回転に応じて、前記第１当接部が前記第１媒体搬送経路の第１位置で前記第１媒体搬送経路に突出する第１検出姿勢と、前記第１当接部が前記第１位置よりも媒体搬送方向下流の第２位置で前記第１媒体搬送経路に突出する第２検出姿勢と、を回転することによって切り換えることを特徴とする。
【０００８】
本態様によれば、前記第１回転部が備える前記第１当接部が、前記第１媒体搬送経路の第１位置で前記第１媒体搬送経路に突出する第１検出姿勢と、前記第１位置よりも媒体搬送方向下流の第２位置で前記第１媒体搬送経路に突出する第２検出姿勢と、を取り得るので、一の前記第１当接部により、前記第１媒体搬送経路における２つの位置で媒体を検出することができ、２つの検出手段を個別に設ける構成に比してコストアップを抑制できる。
【０００９】
第２の態様は、第１の態様において、前記第１位置は、前記搬送ローラー対における媒体ニップ位置より媒体搬送方向上流位置であり、前記第２位置は、前記媒体ニップ位置より媒体搬送方向下流位置であることを特徴とする。  
本態様によれば、前記第１位置は、前記搬送ローラー対における媒体ニップ位置より媒体搬送方向上流位置であり、前記第２位置は、前記媒体ニップ位置より媒体搬送方向下流位置であるので、前記第１回転部が前記第１検出姿勢にある際は前記搬送ローラー対によって媒体のスキュー矯正を行う際に媒体に形成するたわみ量を適切に管理できる。また、前記第１回転部が前記第２検出姿勢にある際は、前記搬送ローラー対の媒体搬送方向下流の所定位置に、媒体を精度良く位置決めすることができる。
【００１０】
第３の態様は、第１のまたは第２の態様において、前記第１回転部は、前記第２検出姿勢から前記第１検出姿勢に切り換わる際の回転方向である第１回転方向及びその反対の第２回転方向に回転可能であるとともに、前記第１回転方向に回転する力が付与され、前記第２回転部は、前記第２媒体搬送経路に対して前記第２当接部が退避した状態から突出する際の回転方向である第３回転方向及び前記第２媒体搬送経路に対して前記第２当接部が突出した状態から退避する際の回転方向である第４回転方向に回転可能であるとともに、前記第３回転方向に回転する力が付与され、前記第２回転部は、前記第２当接部が前記第２媒体搬送経路に突出し、前記第１当接部に対し媒体が当接していない状態で前記第１回転部を前記第２検出姿勢に維持するとともに、前記第１回転部の前記第２回転方向への回転を許容する第１状態と、前記第１状態から前記第４回転方向に回転して前記第２当接部が前記第２媒体搬送経路から退避し、前記第１当接部に対し媒体が当接していない状態で前記第１回転部が前記第１検出姿勢を取ることを許容するとともに、前記第１回転部の前記第２回転方向への回転を許容する第２状態と、を取り得ることを特徴とする。
【００１１】
本態様によれば、前記第１回転部に前記第１回転方向に回転する力を付与し、前記第２回転部に前記第２回転方向に回転する力を付与することで、上述した第１の態様の機能を構造簡単にして実現できる。
【００１２】
第４の態様は、第３の態様において、前記検出部は光学センサーで構成され、前記被検出部は、前記第１回転部の回転に伴って、前記光学センサーの光軸を遮る遮光状態と、前記光軸から第１方向に外れる第１開放状態と、前記光軸から第２方向に外れる第２開放状態と、を切り換え、前記第２回転部が前記第１状態にあるとともに前記第１回転部が前記第２検出姿勢にある状態で、前記被検出部が前記遮光状態にあり、前記第２検出姿勢にある前記第１回転部が前記第２回転方向に回転することで、前記被検出部が前記遮光状態から前記第１開放状態に切り換わり、前記第２回転部が前記第２状態にあるとともに前記第１回転部が前記第１検出姿勢にある状態で、前記被検出部が前記第２開放状態にあり、前記第１検出姿勢にある前記第１回転部が前記第２回転方向に回転することで、前記被検出部が前記第２開放状態から前記遮光状態に切り換わることを特徴とする。
【００１３】
本態様によれば、前記被検出部が、前記第１回転部の回転に伴って、前記光学センサーの光軸を遮る遮光状態と、前記光軸から第１方向に外れる第１開放状態と、前記光軸から第２方向に外れる第２開放状態と、を切り換えるので、前記被検出部の状態変化を把握することで、媒体を適切に検出できる。
【００１４】
第５の態様は、第４の態様において、前記光学センサーの検出信号を受信する制御部を備え、媒体の給送待機状態において、前記第２回転部が前記第１状態にあるとともに前記第１回転部が前記第２検出姿勢にあり、前記被検出部が前記遮光状態にあり、次いで媒体の給送が開始されると、媒体の先端が前記第１当接部に当接して前記第１回転部が前記第２検出姿勢から、前記第１当接部が前記第１媒体搬送経路から退避する第３検出姿勢に切り換わり、これに伴い前記被検出部が前記遮光状態から前記第１開放状態に切り換わり、次いで媒体の後端が前記第１当接部から離間すると、前記第１回転部が前記第３検出姿勢から前記第２検出姿勢に戻り、これに伴い前記被検出部が前記第１開放状態から前記遮光状態に切り換わり、次いで前記第２媒体搬送経路に入り込んだ媒体の先端が前記第２当接部に当接して前記第２回転部が前記第１状態から前記第２状態に切り換わると、前記第１回転部が前記第２検出姿勢から前記第１検出姿勢に切り換わり、これに伴い前記被検出部が前記遮光状態から前記第２開放状態に切り換わり、次いで前記第２媒体搬送経路から前記第１媒体搬送経路に入り込んだ媒体の先端が前記第１当接部に当接して前記第１回転部が前記第１検出姿勢から前記第２回転方向に回転すると、これに伴い前記被検出部が前記第２開放状態から前記遮光状態に切り換わることを特徴とする。
【００１５】
本態様によれば、最初に媒体の先端が前記第１当接部に当接する際は前記第１回転部が前記第２検出姿勢にあるので、前記第１当接部の媒体搬送方向下流の所定位置に、媒体を精度良く位置決めすることができる。  
また、その後媒体が前記第２媒体搬送経路を通って再び前記第１媒体搬送経路に入った際は、媒体の経路長つまり媒体が通過してきた経路の長さが長くなり易く、媒体の先端位置が管理し難く、前記搬送ローラー対によって媒体のスキュー矯正を行う際に媒体に形成するたわみ量を適切に管理し難い。しかしながら、その際には前記第１回転部が前記第１検出姿勢にあることから、媒体の先端位置を前記搬送ローラー対の上流でより正確に把握でき、ひいては前記搬送ローラー対によって媒体のスキュー矯正を行う際に媒体に形成するたわみ量をより適切に管理できる。
【００１６】
第６の態様は、第３から第５の態様のいずれかにおいて、前記第１回転部に対し前記第１回転方向にばね力を付与する第１ばねと、前記第２回転部に対し前記第３回転方向にばね力を付与する第２ばねと、を備えることを特徴とする。  
本態様によれば、前記第１回転部及び前記第２回転部に回転の力を付与する構成を構造簡単にして低コストに構成できる。
【００１７】
第７の態様に係る画像読取装置は、媒体を読み取る読み取り手段と、媒体を搬送する、第１から第６の態様のいずれか一項に記載の前記媒体搬送装置と、を備えたことを特徴とする。  
本態様によれば、画像読取装置において、上述した第１から第６の態様のいずれかと同様な作用効果が得られる。
【００１８】
第８の態様は、第７の態様において、前記読み取り手段による原稿読み取り領域は、前記第１当接部の前記第２位置に対し、媒体搬送方向下流に位置することを特徴とする。  
前記読み取り手段による原稿読み取り領域は、前記第１当接部の前記第２位置に対し、媒体搬送方向下流に位置するので、前記第１回転部が前記第２検出姿勢にある際に、媒体を前記読み取り手段による読み取り位置に精度良く位置決めすることができる。
【００１９】
以下、本発明を具体的に説明する。  
尚、各図においてＸ軸に沿った方向は装置幅方向であり、−Ｘ方向は装置前面をユーザーと対面させた際にユーザーから見て右方向となり、また＋Ｘ方向は同左方向となる。  
またＹ軸に沿った方向は装置奥行き方向であり、またスキャナー部１において原稿の搬送方向と交差する方向、即ち原稿幅方向となる。＋Ｙ方向は装置背面から前面に向かう方向であり、−Ｙ方向は装置前面から背面に向かう方向である  
またＺ軸に沿った方向は鉛直方向であり、＋Ｚ方向は鉛直上方、−Ｚ方向は鉛直下方となる。  
本実施形態において装置の周囲を構成する側面のうち操作部１０４が設けられた側面が装置前面となる。
【００２０】
図１において記録装置の一例であるインクジェットプリンター１００は、記録ユニット１０１の上部に、画像読取装置の一例であるスキャナー部１を備えて成る、所謂複合機である。以下、インクジェットプリンターを「プリンター」と略称する。  
記録ユニット１０１は、記録用紙に記録を行う機能を有し、スキャナー部１は、媒体の一例である原稿を読み取る機能を有する。スキャナー部１は、原稿読み取り機能を有する本体部２と、セットされた原稿を自動送りする自動原稿搬送装置（ＡＤＦ：Auto Document Feeder）３とを備えている。以下、自動原稿搬送装置を「ＡＤＦ」と略称する。ＡＤＦ３は、媒体搬送装置の一例である。  
尚、本実施形態においてスキャナー部１は記録ユニット１０１とともに複合機としてのプリンター１００を構成するが、勿論スキャナー部１のみが単独で構成されていても良い。また、本実施形態では媒体搬送装置を画像読取装置に適用したが、記録装置としての記録ユニット１０１内部に適用しても良い。またその場合、スキャナー部１を備えず、記録ユニット１０１のみが単独で構成されていても良い。
【００２１】
記録ユニット１０１は、記録用紙を搬送する搬送経路（不図示）、及び記録手段の一例である記録ヘッド１０８を備えている。記録ヘッド１０８は、Ｘ軸方向に往復動するキャリッジ１０７に設けられている。  
記録用紙は用紙カセット１０２ａ、１０２ｂに収容され、不図示の搬送手段によって記録ヘッド１０８と対向する位置に搬送される。
【００２２】
また記録ユニット１０１は、用紙カセット１０２ａ、１０２ｂへの用紙セットに加え、装置背面からの用紙セット及び給送も可能に構成されている。符号１０６は装置背面から用紙をセットする際の用紙セット口（不図示）を開閉するカバーである。
【００２３】
記録ユニット１０１は、装置前面に、プリンター１００の各種操作を行う操作部１０４を備えている。操作部１０４は、表示部と複数の操作ボタンを備えて成るとともに、チルト可能に設けられている。  
操作部１０４の下側には、記録が行われて排出される記録用紙を受ける排出トレイ１０５が設けられている。排出トレイ１０５は、図１に示すように記録ユニット１０１の内部に収容された状態と、記録ユニット１０１から引き出された状態（不図示）と、を取り得るように設けられている。排出トレイ１０５は引き出されることで、排出口１０３から排出される記録用紙を受ける。
【００２４】
続いてスキャナー部１の全体構成について図１及び図２を参照して説明する。尚、以下では原稿が搬送されていく方向を「下流」と言い、その反対方向を「上流」と言うこととする。  
上述したようにスキャナー部１は、本体部２と、ＡＤＦ３とを備えている。ＡＤＦ３は、本体部２に対して閉じた姿勢（図１）と、開いた姿勢（不図示）とを取り得る様に設けられている。ＡＤＦ３を開いた姿勢とすると、本体部２を構成する、原稿を載置する原稿台４Ａ（図２）が現れる。  
図２において原稿台４Ａは、平坦かつ透明なガラス板として構成されており、その上面は読み取る原稿を載置する原稿載置面となる。  
ＡＤＦ３を用いずに、原稿台４Ａに載置した原稿を読み取る場合には、読み取り手段７が原稿台４Ａの下側をＸ軸方向に移動しながら原稿面を読み取る。
【００２５】
原稿台４Ａに対し−Ｘ方向には透過ガラス４Ｂが設けられており、ＡＤＦ３を利用した原稿読み取りの際には、透過ガラス４Ｂの下に読み取り手段７が停止し、その状態で原稿を搬送しながら原稿面を読み取る。
【００２６】
ＡＤＦ３は、給送前の原稿を支持する給送トレイ１０及び支持トレイ１１と、読み取りが行われてＡＤＦ３の外に排出される原稿を受ける排出トレイ１３と、を備えている。ＡＤＦ３は、大略的には給送トレイ１０及び支持トレイ１１に載置された原稿を、ＡＤＦ３内部で湾曲反転させ、透過ガラス４Ｂの上に送り、読み取りが行われた原稿を排出ローラー対２５によって排出トレイ１３に向けて排出する構成を備える。図２において給送トレイ１０及び支持トレイ１１に載置された原稿は符号Ｇで示されている。以下では原稿を符号Ｇを付して表すこととする。  
また、図２において原稿Ｇを搬送する搬送経路は一点鎖線と二点鎖線で示されている。符号Ｆ１で示す一点鎖線は第１原稿搬送経路であり、符号Ｆ２で示す二点鎖線は第２原稿搬送経路である。各原稿搬送経路については後に詳述する。
【００２７】
図１において給送トレイ１０には、載置された原稿Ｇの幅方向端部をガイドするエッジガイド１４ａ、１４ｂが設けられている。  
ＡＤＦ３において＋Ｙ方向の上部にはカバー６が設けられている。カバー６は不図示の回動軸を中心に回動可能に設けられており、回動することで、図１及び図２に示す様に閉じた状態と、原稿搬送経路Ｆ１を開放する状態（不図示）と、を取り得る。カバー６を開くことで、ＡＤＦ３内部でジャムが生じた場合に、原稿Ｇを取り除くことができる。
【００２８】
続いて図２を参照しつつ原稿搬送経路上の構成について説明する。支持トレイ１１の上方には、ＡＤＦモーター５２（図３）によって回転駆動される給送ローラー１５が設けられている。給送ローラー１５は、給送トレイ１０及び支持トレイ１１に載置された複数の原稿Ｇにおいて最上位の原稿Ｇに当接し、前記最上位の原稿Ｇを下流に送り出す。  
給送ローラー１５は支持部材１７によって支持されており、支持部材１７は、分離ローラー１６の回転中心を中心にして揺動することで、給送ローラー１５を原稿Ｇに対して進退させる。
【００２９】
給送ローラー１５の下流には、分離ローラー１６と、分離部材１８とが設けられており、給送ローラー１５によって送り出された原稿Ｇが分離ローラー１６と分離部材１８とでニップされることで、給送原稿と重送原稿とが分離される。分離ローラー１６は、ＡＤＦモーター５２（図３）によって回転駆動される。
【００３０】
分離ローラー１６の下流には、上流搬送ローラー対１９が設けられている。上流搬送ローラー対１９は、ＡＤＦモーター５２（図３）によって回転駆動される駆動ローラー１９ａと、この駆動ローラー１９ａとの間で原稿Ｇをニップして従動回転する従動ローラー１９ｂとで構成される。  
上流搬送ローラー対１９の下流には、原稿Ｇと接して従動回転する従動ローラー２０が設けられている。
【００３１】
従動ローラー２０の下流には、下流搬送ローラー対２１が設けられている。下流搬送ローラー対２１は、ＡＤＦモーター５２（図３）によって回転駆動される、第１ローラーとしての駆動ローラー２１ａと、この駆動ローラー２１ａとの間で原稿Ｇをニップして従動回転する、第２ローラーとしての従動ローラー２１ｂとで構成される。  
下流搬送ローラー対２１により、原稿Ｇが読み取り位置、即ち読み取り手段７と対向する位置に搬送される。  
尚、第１原稿搬送経路Ｆ１において下流搬送ローラー対２１の周辺には原稿Ｇの先端及び後端の通過を検出する原稿検出手段が設けられているが、これについては後に説明する。
【００３２】
透過ガラス４Ｂと対向する位置には押さえ部材２２が設けられており、この押さえ部材２２によって透過ガラス４Ｂからの原稿Ｇの浮き上がりが抑制される。  
本実施形態において読み取り手段７は、主走査方向であるＹ軸方向に延設されるとともに、不図示の移動機構により副走査方向であるＸ軸方向に移動可能に構成されている。  
読み取り手段７は、読取センサー（不図示）を備えている。読取センサーとしては、例えばＣＣＤ（Ｃｈａｒｇｅ  Ｃｏｕｐｌｅｄ  Ｄｅｖｉｃｅｓ）方式或いはＣＩＳ（Ｃｏｎｔａｃｔ  Ｉｍａｇｅ  Ｓｅｎｓｏｒ）方式の光学センサーを用いることができる。
【００３３】
押さえ部材２２の下流には、フラップ２３が設けられている。フラップ２３は揺動軸２３ａを中心にして図２の時計回り方向及び反時計回り方向に揺動可能であり、また、自重によって図２に示す様に第１原稿搬送経路Ｆ１を塞ぎ、且つ、第２原稿搬送経路Ｆ２を開放した状態をとっている。  
フラップ２３は、読み取り位置から排出ローラー対２５に向けて進む原稿Ｇの先端によって押し上げられる。
【００３４】
第１原稿搬送経路Ｆ１においてフラップ２３の下流には、排出ローラー対２５が設けられている。排出ローラー対２５は、ＡＤＦモーター５２（図３）によって回転駆動される駆動ローラー２５ａと、この駆動ローラー２５ａとの間で原稿Ｇをニップして従動回転する従動ローラー２５ｂとで構成される。
【００３５】
従動ローラー２５ｂは、支持部材２７によって支持されている。支持部材２７は、揺動軸２７ａを中心に図２の時計回り方向及び反時計回り方向に揺動可能に設けられているとともに、不図示の駆動手段によって、図２に示す様に従動ローラー２５ｂを駆動ローラー２５ａに接触させる状態と、従動ローラー２５ｂを駆動ローラー２５ａから離間させる状態（不図示）と、を取り得る。
【００３６】
原稿Ｇの第１面のみ読み取りを行う場合、第１面の読み取りの行われた原稿Ｇは、排出ローラー対２５によって排出トレイ１３に排出される。  
原稿Ｇの第１面とその反対の第２面の両面を読み取る場合、第１面の読み取りが行われた原稿Ｇは、排出ローラー対２５によって後端が排出ローラー対２５にニップされた状態を維持しつつ排出トレイ１３に所定範囲だけ排出される。その後原稿Ｇは、排出ローラー対２５が逆転駆動されることによりスイッチバック搬送され、それまで後端だった端部が先端となって第２原稿搬送経路Ｆ２に入り込む。  
第２原稿搬送経路Ｆ２に送り込まれた原稿Ｇの先端が上流搬送ローラー対１９にニップされると、支持部材２７の姿勢が切り換えられて従動ローラー２５ｂが駆動ローラー２５ａから離間する。  
以降は、第１面読み取り時と同様に原稿Ｇが搬送され、第２面の読み取りが行われる。
【００３７】
尚、本実施形態において第１原稿搬送経路Ｆ１は、分離ローラー１６と分離部材１８による原稿ニップ位置から、上流搬送ローラー対１９、下流搬送ローラー対２１、押さえ部材２２、フラップ２３、のこれらを経由して排出ローラー対２５による原稿ニップ位置に至る経路と定義する。  
また第２原稿搬送経路Ｆ２は、フラップ２３から上流搬送ローラー対１９に至る経路と定義する。  
第１原稿搬送経路Ｆ１は、下流搬送ローラー対２１を含む原稿搬送経路であり、第２原稿搬送経路Ｆ２は、下流搬送ローラー対２１から原稿搬送方向下流に送られた原稿を、第１原稿搬送経路Ｆ１における下流搬送ローラー対２１の上流位置、より具体的には上流搬送ローラー対１９に送り込む原稿搬送経路である。
【００３８】
続いて、図３を参照してプリンター１００の制御系について説明する。尚、図３において各構成要素を繋ぐ実線は電気的な接続を意味し、破線は機械的な接続を意味している。  
プリンター１００の制御部５０は、操作部１０４から受ける信号に基づき、記録ユニット１０１（図１参照）とスキャナー部１（図１参照）とを制御する。図３において記録機構部１０９は、記録ユニット１０１において記録用紙を搬送する為の動力源であるモーター（不図示）やキャリッジ１０７（図１参照）を駆動する為のモーター（不図示）、記録ヘッド１０８（図１参照）等を含み、記録用紙に記録を行う記録機能を実現する。
【００３９】
スキャナー部１においては、制御部５０は操作部１０４から受ける信号および後述する原稿検出手段３０の検出情報に基づきＡＤＦモーター５２を制御する。尚、図２では図の煩雑化を避ける為原稿検出手段３０の図示は省略しているが、原稿検出手段３０は下流搬送ローラー対２１の近くに設けられている。  
ＡＤＦモーター５２は、図２を参照しつつ説明した給送ローラー１５、分離ローラー１６、駆動ローラー１９ａ、駆動ローラー２１ａ、駆動ローラー２５ａ、のこれらの動力源となる。ＡＤＦモーター５２から各ローラーへは、各ローラーに対し設けられた不図示の動力伝達機構により動力が伝達される。
【００４０】
上記動力伝達機構は、以下の機能を実現する。ＡＤＦモーター５２が正転すると、給送ローラー１５と分離ローラー１６は図２の時計回り方向即ち原稿Ｇを下流に送る方向に回転し、ＡＤＦモーター５２が逆転すると、給送ローラー１５と分離ローラー１６へは動力が伝達されず、給送ローラー１５と分離ローラー１６は停止する。尚、ＡＤＦモーター５２が正転すると、給送ローラー１５を支持する支持部材１７（図２参照）は給送ローラー１５を原稿Ｇに当接させ、ＡＤＦモーター５２が逆転すると、支持部材１７は給送ローラー１５を原稿Ｇから離間させる。また、分離ローラー１６とＡＤＦモーター５２との間の動力伝達経路には不図示のワンウェイクラッチが設けられており、ＡＤＦモーター５２から分離ローラー１６への動力伝達が切られた状態で、分離ローラー１６は搬送される原稿Ｇに追従して回転できる。
【００４１】
また、ＡＤＦモーター５２の正転及び逆転に拘わらず、駆動ローラー１９ａは図２の反時計回り方向即ち原稿Ｇを下流に送る方向に回転する。この様な機能は、例えば遊星歯車機構やワンウェイクラッチにより実現できる。
【００４２】
また、ＡＤＦモーター５２が正転すると、駆動ローラー２１ａは図２の反時計回り方向即ち原稿Ｇを下流に送る方向に回転し、ＡＤＦモーター５２が逆転すると、駆動ローラー２１ａは図２の時計回り方向即ち原稿Ｇを上流に戻す方向に回転する。  
これにより、原稿先端を所定量下流搬送ローラー対２１の下流に送った後に上流に吐き出す所謂食い付き吐き出し方式のスキュー矯正や、原稿Ｇを上流に戻す方向に回転している駆動ローラー２１ａと従動ローラー２１ｂとの間に原稿先端を突き当てる所謂突き当て方式のスキュー矯正を実行可能となる。
【００４３】
また、ＡＤＦモーター５２が正転すると、駆動ローラー２５ａは図２の時計回り方向即ち原稿Ｇを下流に送る方向に回転し、ＡＤＦモーター５２が逆転すると、駆動ローラー２５ａは図２の反時計回り方向即ち原稿Ｇを上流に戻す方向に回転する。  
これにより、原稿Ｇを排出トレイ１３に排出でき、また、原稿Ｇを第２原稿搬送経路Ｆ２に送り込むことが可能となる。
【００４４】
続いて、図４以降を参照して原稿検出手段３０について説明する。尚、図４〜図１２では図の煩雑化を避ける為、原稿搬送経路上の必要な構成要素のみを示している。  
図４及び図５に示す様に原稿検出手段３０は、第１原稿搬送経路Ｆ１において原稿Ｇの先端が当接可能な第１当接部３１ａを有するとともに第１回転方向（図５〜図１２において時計回り方向）及びその反対の第２回転方向（図５〜図１２において反時計回り方向）に回転可能な第１回転部３１を備えている。また原稿検出手段３０は、第２原稿搬送経路Ｆ２において原稿Ｇの先端が当接可能な第２当接部３２ａを有するとともに第１回転部３１と係わって第１回転部３１の姿勢を規制する、第３回転方向（図５〜図１２において時計回り方向）及びその反対の第４回転方向（図５〜図１２において反時計回り方向）に回転可能な第２回転部３２を備えている。  
また原稿検出手段３０は、第１回転部３１に設けられた被検出部３１ｄを検出可能な検出部３３を備えている。
【００４５】
本実施形態において上記第１回転方向と上記第３回転方向は同じ方向であるので、以下では上記第１回転方向と上記第３回転方向を区別せず図５〜図１２での回転方向を基準にして「時計回り方向」と称する。また同様に、上記第２回転方向と上記第４回転方向は同じ方向であるので、以下では上記第２回転方向と上記第４回転方向を区別せず図５〜図１２での回転方向を基準にして「反時計回り方向」と称する。  
尚、本実施形態では第１回転部３１の回転軸線と第２回転部３２の回転軸線とは平行であるが、必ずしも平行である必要はない。
【００４６】
検出部３３は光学センサーで構成され、検出光を発する発光部３３ａと、検出光を受ける受光部３３ｂとを備えている。符号Ｐｄは、発光部３３ａから発せられる検出光の光軸であり、第１回転部３１に設けられた被検出部３１ｄは、第１回転部３１の回転に伴って光軸Ｐｄを遮る状態と、光軸Ｐｄから離れる状態とを切り換える。  
より具体的には、被検出部３１ｄは、光軸Ｐｄから第１方向である上方向に外れる第１開放状態（図７、図１２参照）と、光軸Ｐｄから第２方向である下方向に外れる第２開放状態（図１０参照）と、を切り換える。
【００４７】
本実施形態では、第１回転部３１は図４に示す様に円筒部３１ｃを有しており、この円筒部３１ｃが駆動ローラー２１ａの回転軸２１ｃに通された状態となっている。即ち第１回転部３１は駆動ローラー２１ａの回転軸２１ｃを回転軸とし、換言すれば第１回転部３１は駆動ローラー２１ａと回転軸を共通にする。  
被検出部３１ｄは、円筒部３１ｃに対し−Ｙ方向の端部に形成され、第１当接部３１ａと後述する第１係合部３１ｂは、円筒部３１ｃに対し＋Ｙ方向の端部に形成されている。
【００４８】
図４では図示を省略するが、図５に示す様に第１回転部３１には第１ばね３５が設けられ、この第１ばね３５により、第１回転部３１には図５〜図１２の時計回り方向の外力が付与されている。また第２回転部３２には第２ばね３６が設けられ、この第２ばね３６により、第２回転部３２には図５〜図１２の時計回り方向の外力が付与されている。  
第１ばね３５及び第２ばね３６は、本実施形態ではともにコイルばねである。
【００４９】
第１回転部３１は、第１当接部３１ａが第１原稿搬送経路Ｆ１の第１位置で第１原稿搬送経路Ｆ１に突出する第１検出姿勢をとることができる。第１回転部３１の第１検出姿勢は、図１０に示されている。図１０において第１当接部３１ａは、第１位置にある。本実施形態において第１当接部３１ａの第１位置は、下流搬送ローラー対２１における原稿ニップ位置の上流である。下流搬送ローラー対２１において駆動ローラー２１ａと従動ローラー２１ｂとが接する位置が、原稿ニップ位置となる。  
また第１回転部３１は、図１０に示す第１検出姿勢から反時計回り方向に回転し、第１当接部３１ａが図１０の第１位置よりも原稿搬送方向下流の第２位置で第１原稿搬送経路Ｆ１に突出する第２検出姿勢をとることができる。第１回転部３１の第２検出姿勢は、図５、図６、図８、図９、図１１に示されている。図５、図６、図８、図９、図１１において第１当接部３１ａは、第２位置にある。本実施形態において第１当接部３１ａの第２位置は、下流搬送ローラー対２１における原稿ニップ位置の下流である。また本実施形態において第２位置にある第１当接部３１ａの下流に、読み取り手段７による読み取り領域Ｓａが位置している。  
また第１回転部３１は、図５、図６、図８、図９、図１１に示す第２検出姿勢から反時計回り方向に回転し、前記第２検出姿勢よりも第１当接部３１ａが第１原稿搬送経路Ｆ１から退避する第３検出姿勢をとることができる。第１回転部３１の第３検出姿勢は、図７、図１２に示されている。  
第１回転部３１は、以上の第１検出姿勢と第３検出姿勢との間で回転可能であるとともに、第１ばね３６によって図５〜図１２の時計回り方向に回転する力が付与されている。
【００５０】
第２回転部３２は、図５、図８、図９に示す様に第２当接部３２ａが第２原稿搬送経路Ｆ２に突出し、第１当接部３１ａに対し原稿Ｇが当接していない状態で第１回転部３１を第２検出姿勢に維持するとともに、第１回転部３１の反時計回り方向への回転を許容する第１状態をとることができる。第１回転部３１は、第２回転部３２が第１状態にあるときに、図６から図７への変化に示す様に反時計周り方向に回転することができる。  
また第２回転部３２は、図１０に示す様に第２当接部３２ａが第２原稿搬送経路Ｆ２から退避し、第１当接部３１ａに対し原稿が当接していない状態で第１回転部３１が第１検出姿勢をとることを許容するとともに、第１回転部３１の反時計回り方向への回転を許容する第２状態をとることができる。第１回転部３１は、第２回転部３２が第２状態にあるときに、図１０に示す第１検出姿勢で、図１０から図１１への変化に示す様に反時計周り方向に回転することができる。  
第２回転部は、以上の第１状態と第２状態との間で回転可能であるとともに、第２ばね３６によって図５〜図１２の時計回り方向に回転する力が付与されている。
【００５１】
第１回転部３１は第１係合部３１ｂを有し、第２回転部３２は第２係合部３２ｂを有し、第１回転部３１と第２回転部は、第１係合部３１ｂと第２係合部３２ｂとで係わり合っている。第２回転部３２は、第２係合部３２ｂによって第１係合部３１ｂを支持することで、図５、図６、図８、図９に示す様に第１状態において第１回転部３１を第２検出姿勢に維持する。  
第２回転部３２を図５〜図１２の時計回り方向に押圧する第２ばね３６は、図５、図６、図８、図９に示す様に第２回転部３２の第１状態において第１回転部３１を第２検出姿勢に維持できるばね力に設定されている。すなわち第２ばね３６が第２回転部３２を押圧する力は、第１ばね３５が第１回転部３１を押圧する力よりも強く設定されている。
【００５２】
以下、図１３及び図１４、並びに必要に応じて図５〜図１２を参照し、原稿Ｇの第１面とその反対の第２面の双方の読み取りを行う際の制御について説明する。図６〜図１２では、原稿Ｇの第１面読み取り時に先端となる端部については符号Ｇｆ１を付し、後端となる端部については符号Ｇｒ１を付している。また、第２面読み取り時に先端となる端部については符号Ｇｆ２を付し、後端となる端部については符号Ｇｒ２を付している。第１面読み取り時の原稿後端Ｇｒ１と、第２面読み取り時の原稿先端Ｇｆ２は、同じ端部である。また第１面読み取り時の原稿先端Ｇｆ１と、第２面読み取り時の原稿後端Ｇｒ２は、同じ端部である。  
尚、以下では各ローラーの回転方向について、原稿Ｇを下流に送る場合の回転を正転と言い、その反対の回転を逆転と言う。排出ローラー対２５（図２参照）を構成する駆動ローラー２５ａ（図２参照）については、原稿Ｇを排出トレイ１３に排出する場合の回転を正転とし、第２原稿搬送経路Ｆ２に原稿Ｇを送り込む際の回転を逆転とする。
【００５３】
制御部５０は、原稿Ｇの給送を行う為に、給送待機状態からＡＤＦモーター５２を所定量正転させる（ステップＳ１０１）。尚、図５は給送待機状態を示している。給送待機状態では、第２回転部３２が第１状態にあるとともに第１回転部３１が第２検出姿勢にあり、被検出部３１ｄは遮光状態にある。ステップＳ１０１により、原稿先端Ｇｆ１は上流搬送ローラー対１９にニップされる。  
原稿Ｇの先端が上流搬送ローラー対１９によってニップされると、制御部５０はＡＤＦモーター５２を所定量逆転させる（ステップＳ１０２）。このときの前記所定量は、逆転している下流搬送ローラー対２１に原稿先端Ｇｆ１が突き当たり、図６に示す様に上流搬送ローラー対１９と下流搬送ローラー対２１との間で原稿Ｇが撓むことができる量となる。これにより、所謂突き当て方式によるスキュー矯正が行われる。尚、突き当て方式のスキュー矯正に代えて、上述した食い付き吐き出し方式のスキュー矯正を行っても良い。
【００５４】
次いで制御部５０は、ＡＤＦモーター５２を正転させる（ステップＳ１０３）。このステップＳ１０３により、原稿先端Ｇｆ１が下流搬送ローラー対２１にニップされ、次いで第１当接部３１ａに当接する。  
そして原稿先端Ｇｆ１が更に下流に進むと、原稿検出手段３０において第２回転部３２が第１状態を維持したまま、図６から図７への変化に示す様に第１回転部３１が第２検出姿勢から第３検出姿勢に切り換わる。またこのとき、被検出部３１ｄは遮光状態から第１開放状態に切り換わり、原稿検出手段３０がＯＮ状態からＯＦＦ状態に切り換わる（ステップＳ１０４においてYes）。
【００５５】
尚、図１３において原稿検出手段３０のＯＮ状態とは、被検出部３１ｄが遮光状態にあることを意味する。また原稿検出手段３０のＯＦＦ状態とは、被検出部３１ｄが第１開放状態或いは第２開放状態のいずれかにあることを意味する。制御部５０は、原稿検出手段３０がＯＦＦ状態にあることのみでは、被検出部３１ｄが第１開放状態及び第２開放状態のいずれであるかを特定することはできないが、原稿給送制御の流れと、ＯＮ状態からＯＦＦ状態への変化或いはＯＦＦ状態からＯＮ状態への変化に基づいて、後に説明するように被検出部３１ｄが第１開放状態及び第２開放状態のいずれで有るかを特定できる。  
尚、制御部５０は、フラグ情報を用いて現在行っている制御が第１面読み取り時の制御であるか第２面読み取り時の制御であるかを特定できるようにしても良い。このようにすることでも、原稿検出手段３０の状態変化に基づき、被検出部３１ｄが第１開放状態及び第２開放状態のいずれで有るかを特定できる。
【００５６】
原稿検出手段３０がＯＮ状態からＯＦＦ状態に切り換わると（ステップＳ１０４においてYes）、制御部５０は、ＡＤＦモーター５２を所定量正転させる（ステップＳ１０５）。ステップＳ１０５により、原稿先端Ｇｆ１は読み取り開始位置に頭出しされる。このときの前記所定量は、原稿先端Ｇｆ１を読み取り領域Ｓａの開始位置に位置決めする為の量となる。  
尚、ＡＤＦモーター５２を所定量正転させても原稿検出手段３０がＯＮ状態からＯＦＦ状態に切り換わらない場合（ステップＳ１０４においてNo）、ジャムが生じたものと判断し、エラー処理に移行する。エラー処理の詳細については、本明細書では省略する。  
次いで制御部５０は、第１面の読み取りを開始する（ステップＳ１０６）。ステップＳ１０６の第１面読み取り動作には、ＡＤＦモーター５２の正転動作が含まれる。
【００５７】
第１面の原稿読み取りが進むと、やがて原稿後端Ｇｒ１が第１当接部３１ａから離間する。これにより原稿検出手段３０では、第２回転部３２が第１状態を維持したまま、図７から図８への変化に示す様に第１回転部３１が第３検出姿勢から第２検出姿勢に切り換わる。またこのとき、被検出部３１ｄは第１開放状態から遮光状態に切り換わり、原稿検出手段３０はＯＦＦ状態からＯＮ状態に切り換わる（ステップＳ１０７においてYes）。  
尚、第１面の読み取りを開始してから所定量ＡＤＦモーター５２を回転させても原稿検出手段３０がＯＦＦ状態からＯＮ状態に切り換わらない場合（ステップＳ１０７においてNo）、ジャムが生じたものと判断し、エラー処理に移行する。尚、このときの前記所定量は、例えば想定される最大サイズの原稿を搬送する為に必要なＡＤＦモーター５２の回転量に、所定のマージンを持たせた量として設定することができる。
【００５８】
原稿検出手段３０がＯＦＦ状態からＯＮ状態に切り換わると（ステップＳ１０７においてYes）、制御部５０はＡＤＦモーター５２を所定量正転させる（ステップＳ１０８）。これにより原稿後端Ｇｒ１は、フラップ２３より下流側に進む。  
次いで制御部５０はＡＤＦモーター５２を所定量逆転させる（ステップＳ１０９）。これにより原稿Ｇは、原稿後端Ｇｒ１を原稿先端Ｇｆ２に換えて、図９に示す様に第２原稿搬送経路Ｆ２に送り込まれる。尚このときの前記所定量は、原稿先端Ｇｆ２を、第１位置にある第１当接部３１ａ（図１０参照）に到達させる為の量となる。
【００５９】
その後、第２原稿搬送経路Ｆ２に送り込まれた原稿Ｇは、先端Ｇｆ２が第２回転部３２の第２当接部３２ａに当接し、その後第２当接部３２ａを第２原稿搬送経路Ｆ２から退避させる。これにより図９から図１０への変化で示す様に、第２回転部３２は第１状態から第２状態に切り換わる。  
即ち、第２回転部３２が反時計回り方向に回転し、第２係合部３２ｂが下方向に退避する為、第１回転部３１が時計回り方向に回転して第２検出姿勢から第１検出姿勢に切り換わる。またこのとき、被検出部３１ｄは遮光状態から第２開放状態に切り換わり、原稿検出手段３０はＯＮ状態からＯＦＦ状態に切り換わる（ステップＳ１１０においてYes）。  
尚、ＡＤＦモーター５２を所定量逆転させても原稿検出手段３０がＯＮ状態からＯＦＦ状態に切り換わらない場合（ステップＳ１１０においてNo）、ジャムが生じたものと判断し、エラー処理に移行する。
【００６０】
次いで原稿先端Ｇｆ２が更に下流に進むと、やがて第１検出姿勢にある第１回転部３１の第１当接部３０ａ（図１０参照）に原稿先端Ｇｆ２が当接し、原稿先端Ｇｆ２が第１回転部３１を反時計回り方向に回転させる。このとき、被検出部３１ｄは図１０から図１１への変化で示す様に第２開放状態から遮光状態に切り換わり、原稿検出手段３０がＯＦＦ状態からＯＮ状態に切り換わる（ステップＳ１１１においてYes）。  
このタイミングから制御部５０は更にＡＤＦモーター５２を所定量逆転させる（ステップＳ１１２）。このときの前記所定量は、逆転している下流搬送ローラー対２１に原稿先端Ｇｆ２が突き当たり、図１１に示す様に上流搬送ローラー対１９と下流搬送ローラー対２１との間で原稿Ｇが撓むことができる量となる。これにより、所謂突き当て方式によるスキュー矯正が行われる。尚、突き当て方式のスキュー矯正に代えて、上述した食い付き吐き出し方式のスキュー矯正を行っても良い。
【００６１】
次いで制御部５０は、ＡＤＦモーター５２を所定量正転させる（ステップＳ１１３）。このステップＳ１１３により、図１２に示す様に原稿先端Ｇｆ２は読み取り開始位置に頭出しされる。このときの前記所定量は、原稿先端Ｇｆ２を読み取り領域Ｓａの開始位置に位置決めする為の量となる。  
尚ステップＳ１１３によって、原稿検出手段３０は図１１から図１２への変化に示す様にＯＮ状態からＯＦＦ状態に切り換わる。即ち第１回転部３１が第２検出姿勢から第３検出姿勢に切り換わる。
【００６２】
第２面の原稿読み取りが進むと、やがて原稿後端Ｇｒ２が第２当接部３２ａから離間し、図１２の状態から第２回転部３２は第１状態（図７参照）に戻る。そしてその後、原稿後端Ｇｒ２が第１当接部３１ａから離間すると、第１回転部３１が第３検出姿勢から第２検出姿勢に切り換わる。またこのとき、被検出部３１ｄは第１開放状態から遮光状態に切り換わり、原稿検出手段３０はＯＦＦ状態からＯＮ状態に切り換わる（ステップＳ１１５においてYes）。  
尚、第２面の読み取りを開始してから所定量ＡＤＦモーター５２を回転させても原稿検出手段３０がＯＦＦ状態からＯＮ状態に切り換わらない場合（ステップＳ１１５においてNo）、ジャムが生じたものと判断し、エラー処理に移行する。尚、このときの前記所定量は、例えば想定される最大サイズの原稿を搬送する為に必要なＡＤＦモーター５２の回転量に、所定のマージンを持たせた量として設定することができる。  
その後制御部５０は、ＡＤＦモーター５２を所定量正転させる（ステップＳ１１６）。ステップＳ１１６により、第２面の読み取りが行われた原稿Ｇが、排出トレイ１３に排出される。
【００６３】
以上の構成を纏めると、以下の通りとなる。  
原稿検出手段３０は、第１原稿搬送経路Ｆ１において原稿Ｇが当接可能な第１当接部３１ａを有するとともに、第１当接部３１ａへの原稿Ｇの当接及び第１当接部３１ａからの原稿Ｇの離間に伴って回転する第１回転部３１と、第２原稿搬送経路Ｆ２において原稿Ｇが当接可能な第２当接部３２ａを有するとともに、第２当接部３２ａへの原稿Ｇの当接及び第２当接部３２ａからの原稿Ｇの離間に伴って回転する第２回転部３２と、第１回転部３１に設けられた被検出部３１ｄを検出する検出部３３と、を備えている。  
そして第１回転部３１は、第２回転部３２に当接可能であり、第２回転部３２の回転に応じて、第１当接部３１ａが第１原稿搬送経路Ｆ１の第１位置で第１原稿搬送経路Ｆ１に突出する第１検出姿勢（例えば図６参照）と、第１当接部３１ａが第１位置よりも原稿搬送方向下流の第２位置で第１原稿搬送経路Ｆ１に突出する第２検出姿勢（例えば図１０参照）と、を回転することによって切り換える。
【００６４】
従って、一の第１当接部３１ａにより、第１原稿搬送経路Ｆ１における２つの位置で原稿Ｇを検出することができ、２つの検出手段を個別に設ける構成に比してコストアップを抑制できる。
【００６５】
また本実施形態において第１当接部３１ａの第１位置は、下流搬送ローラー対２１における原稿ニップ位置より上流位置に設定され、第１当接部３１ａの第２位置は、下流搬送ローラー対２１における原稿ニップ位置より下流位置に設定されている。従って第１回転部３１が第１検出姿勢にある際（例えば図１０参照）は下流搬送ローラー対２１によって原稿Ｇのスキュー矯正を行う際に、原稿Ｇに形成するたわみ量を適切に管理できる。また、第１回転部３１が第２検出姿勢にある際（例えば図６参照）は、下流搬送ローラー対２１の下流の所定位置、具体的には読み取り開始位置に、原稿Ｇを精度良く位置決めすることができる。  
尚、前記第１位置及び前記第２位置は、いずれも下流搬送ローラー対２１における原稿ニップ位置より上流位置に設定しても良いし、或いはいずれも下流搬送ローラー対２１における原稿ニップ位置より下流位置に設定しても良い。
【００６６】
また、第１回転部３１は第１回転方向（上記において時計回り方向）及びその反対の第２回転方向（上記において反時計回り方向）に回転可能であるとともに、前記第１回転方向に回転する力が付与されている。  
また、第２回転部３２は、第２原稿搬送経路Ｆ２に対して第２当接部３２ａが退避した状態から突出する際の回転方向である第３回転方向（上記において時計回り方向）及び第２原稿搬送経路Ｆ２に対して第２当接部３２ａが突出した状態から退避する際の回転方向である第４回転方向（上記において反時計回り方向）に回転可能であるとともに、前記第３回転方向に回転する力が付与されている。  
そして第２回転部３２は、第２当接部３２ａが第２原稿搬送経路Ｆ２に突出し、第１当接部３１ａに対し原稿Ｇが当接していない状態で第１回転部３１を第２検出姿勢に維持するとともに、第１回転部３１の前記第２回転方向への回転を許容する第１状態をとることができる（例えば図６参照）。また第２回転部３２は、前記第１状態から前記第４回転方向に回転して第２当接部３２ａが第２原稿搬送経路Ｆ２から退避し、第１当接部３１ａに対し原稿Ｇが当接していない状態で第１回転部３１が第１検出姿勢をとることを許容するとともに、第１回転部３１の前記第２回転方向への回転を許容する第２状態をとることができる（例えば図１０参照）。  
即ち、第１回転部３１に前記第１回転方向に回転する力を付与し、第２回転部３２に前記第２回転方向に回転する力を付与することで、上述した原稿検出手段３０の機能を構造簡単にして実現できる。
【００６７】
次に本実施形態において検出部３３は光学センサーで構成され、検出光を発する発光部３３ａと、検出光を受ける受光部３３ｂとを備えている。被検出部３１ｄは、光軸Ｐｄを遮る状態（例えば図６参照）と、光軸Ｐｄから第１方向である上方向に外れる第１開放状態（例えば図７参照）と、光軸Ｐｄから第２方向である下方向に外れる第２開放状態（例えば図１０参照）と、を切り換える。  
そして第２回転部３２が第１状態にあるとともに第１回転部３１が第２検出姿勢にある状態で、被検出部３１ｄが遮光状態にあり（例えば図６参照）、第２検出姿勢にある第１回転部３１が第２回転方向（上記において反時計回り方向）に回転することで、例えば図６から図７への変化に示す様に被検出部３１ｄが遮光状態から第１開放状態に切り換わる。また、第２回転部３２が第２状態にあるとともに第１回転部３１が第１検出姿勢にある状態で（例えば図１０参照）、被検出部３１ｄが第２開放状態にあり、第１検出姿勢にある第１回転部３１が例えば図１０から図１１への変化で示す様に第２回転方向（上記において反時計回り方向）に回転することで、被検出部３１ｄが第２開放状態から遮光状態に切り換わる。  
この様な被検出部３１ｄの動きにより、制御部５０は、原稿Ｇを適切に検出できる。
【００６８】
また本実施形態において、原稿Ｇの給送待機状態において第２回転部３２が第１状態にあるとともに第１回転部３１が第２検出姿勢にあり、被検出部３１ｄが遮光状態にあり、次いで原稿Ｇの給送が開始されると、原稿先端Ｇｆ１が第１当接部３１ａに当接して第１回転部３１が第２検出姿勢から第３検出姿勢に切り換わり、これに伴い被検出部３１ｄが遮光状態から第１開放状態に切り換わる。次いで原稿後端Ｇｒ１が第１当接部３１ａから離間すると、第１回転部３１が第３検出姿勢から第２検出姿勢に戻り、これに伴い被検出部３１ｄが第１開放状態から遮光状態に切り換わる。次いで第２原稿搬送経路Ｆ２に入り込んだ原稿先端Ｇｆ２が第２当接部３２ａに当接して第２回転部３２が第１状態から第２状態に切り換わると、第１回転部３１が第２検出姿勢から第１検出姿勢に切り換わり、これに伴い被検出部３１ｄが遮光状態から第２開放状態に切り換わる。次いで第２原稿搬送経路Ｆ２から第１原稿搬送経路Ｆ１に入り込んだ原稿先端Ｇｆ２が第１当接部３１ａに当接して第１回転部３１が第１検出姿勢から第２回転方向（上記において反時計回り方向）に回転すると、これに伴い被検出部３１ｄが第２開放状態から遮光状態に切り換わる。
【００６９】
これにより、最初に原稿先端Ｇｆ１が第１当接部３１ａに当接する際は第１回転部３１が第２検出姿勢にあるので、第１当接部３１ａの下流の所定位置、具体的には頭出し位置に、原稿Ｇを精度良く位置決めすることができる。  
また、その後原稿Ｇが第２原稿搬送経路Ｆ２を通って再び第１原稿搬送経路Ｆ１に入った際は、原稿Ｇの経路長つまり原稿Ｇが通過してきた経路の長さが長くなり易く、原稿先端Ｇｆ２の位置が管理し難く、下流搬送ローラー対２１によって原稿Ｇのスキュー矯正を行う際に原稿Ｇに形成するたわみ量を適切に管理し難い。しかしながら、その際には第１回転部３１が第１検出姿勢にあることから、原稿先端Ｇｆ２の位置を正確に把握でき、ひいては下流搬送ローラー対２１によって原稿Ｇのスキュー矯正を行う際に原稿Ｇに形成するたわみ量をより適切に管理できる。
【００７０】
また本実施形態では、第１回転部３１に対し時計回り方向にばね力を付与する第１ばね３５と、第２回転部３２に対し時計回り方向にばね力を付与する第２ばね３６と、を備えるので、第１回転部３１及び第２回転部３２に回転の力を付与する構成を構造簡単にして低コストに構成できる。
【００７１】
尚、上述した実施形態では第２回転部３２が第２状態にある際、図１０に示す様に第１回転部３１の第１係合部３１ｂが、第２回転部３２の第２係合部３２ｂによって支持されており、これにより第１回転部３１の第１検出姿勢が規定されている。しかしながら、第２回転部３２が第２状態にある際、必ずしも第１回転部３１の第１係合部３１ｂが、第２回転部３２の第２係合部３２ｂによって支持される必要はなく、別の構成部位によって第１回転部３１の時計回り方向の回転限度を規定し、第１回転部３１の第１検出姿勢を規定しても良い。
【００７２】
また本発明は上記において説明した各実施形態に限定されることなく、特許請求の範囲に記載した発明の範囲内で、種々の変形が可能であり、それらも本発明の範囲内に含まれるものであることは言うまでもない。
【符号の説明】
【００７３】
１…スキャナー部、２…本体部、３…自動原稿搬送装置（ＡＤＦ）、４Ａ…原稿台、４Ｂ…透過ガラス、６…カバー、７…読み取り手段、１０…給送トレイ、１１…支持トレイ、１３…排出トレイ、１４ａ、１４ｂ…エッジガイド、
１５…給送ローラー１５…分離ローラー、１７…支持部材、１８…分離部材、１９…上流搬送ローラー対、１９ａ…駆動ローラー、１９ｂ…従動ローラー、２０…従動ローラー、２１…下流搬送ローラー対、２１ａ…駆動ローラー、２１ｂ…従動ローラー、２１ｃ…回転軸、２２…押さえ部材、２３…フラップ、２５…排出ローラー対、２５ａ…駆動ローラー、２５ｂ…従動ローラー、２７…支持部材、２７ａ…揺動軸、３０…原稿検出手段、３１…第１回転部、３１ａ…第１当接部、３１ｂ…第１係合部、３１ｃ…円筒部、３１ｄ…被検出部、３２…第２回転部、３２ａ…第２当接部、３２ｂ…第２係合部、３２ｃ…軸部、３３…検出部、３３ａ…発光部、３３ｂ…受光部、３５…第１ばね、３６…第２ばね、
１００…インクジェットプリンター、１０１…記録ユニット、１０２ａ、１０２ｂ…用紙カセット、１０３…排出口、１０４…操作部、１０５…排出トレイ、１０６…カバー、１０７…キャリッジ、１０８…記録ヘッド、１０９…記録機構部、
Ｆ１…第１原稿搬送経路、Ｆ２…第２原稿搬送経路、Ｇ…原稿、Ｇｆ１、Ｇｆ２…原稿先端、Ｇｒ１、Ｇｒ２…原稿後端、Ｐｄ…光軸
【図１】
2020152552.tif 000003
【図２】
2020152552.tif 000004
【図３】
2020152552.tif 000005
【図４】
2020152552.tif 000006
【図５】
2020152552.tif 000007
【図６】
2020152552.tif 000008
【図７】
2020152552.tif 000009
【図８】
2020152552.tif 000010
【図９】
2020152552.tif 000011
【図１０】
2020152552.tif 000012
【図１１】
2020152552.tif 000013
【図１２】
2020152552.tif 000014
【図１３】
2020152552.tif 000015
【図１４】
2020152552.tif 000016